【手続補正書】
【提出日】平成17年12月14日(2005.12.14)
【手続補正１】
【補正対象書類名】明細書
【補正対象項目名】発明の名称
【補正方法】変更
【補正の内容】
【発明の名称】文書処理装置、文書処理方法、プログラム
【手続補正２】
【補正対象書類名】明細書
【補正対象項目名】特許請求の範囲
【補正方法】変更
【補正の内容】
【特許請求の範囲】
【請求項１】  電子文書に対してプリフライトチェックが指示されているかどうかを判断する判断手段と、
前記判断手段によりプリフライトチェックが指示されていると判断された場合に、設定されている前記印刷属性部の設定内容を変更してプリフライト用の印刷属性部を作成する変更手段と、
前記変更手段により作成された前記プリフライト用の印刷属性部と前記文書データから選択された印刷装置に出力すべき印刷制御情報を生成する制御手段と、
を備えたことを特徴とする文書処理装置。
【請求項２】  前記変更手段は、前記判断手段によりプリフライトチェックが指示されていると判断された場合に、少なくとも設定されている前記印刷属性部中の合紙設定を合紙設定無し状態に変更したプリフライト用の印刷属性部を作成することを特徴とする請求項１に記載の文書処理装置。
【請求項３】  前記変更手段は、前記判断手段によりプリフライトチェックが指示されていると判断された場合に、少なくとも設定されている前記印刷属性部中の特定の用紙タイプの設定を汎用の用紙タイプに変更したプリフライト用の印刷属性部を作成することを特徴とする請求項１または２に記載の文書処理装置。
【請求項４】  前記変更手段は、前記設定されている印刷属性部の設定内容を無効化するべく印刷属性部の設定内容を変更することを特徴とする請求項１乃至３のいずれか１項に記載の文書処理装置。
【請求項５】  前記変更手段は、設定されている前記印刷属性部の設定内容をユーザ毎に異なる条件で簡易に変更してプリフライト用の印刷属性部を作成することを特徴とする請求項１乃至４のいずれか１項に記載の文書処理装置。
【請求項６】  前記製本アプリケーションによって設定されている前記印刷属性部の設定内容中で変更してもよい項目をユーザ毎に指定可能とすることを特徴とする請求項１乃至５のいずれか１項に記載の文書処理装置。
【請求項７】  前記プリフライトチェックとは、最終印刷物を出力する前に印刷内容をチェックする処理であることを特徴とする請求項１乃至６のいずれか１項に記載の文書処理装置。
【請求項８】  印刷アプリケーションから出力される出力情報を製本アプリケーションを介してブック，章，ページを含む階層的な印刷属性部と文書データ部とから構成される電子文書を編集処理可能であることを特徴とする請求項１乃至７のいずれか１項に記載の文書処理装置。
【請求項９】  電子文書に対してプリフライトチェックが指示されているかどうかを判断する判断ステップと、
前記判断ステップによりプリフライトチェックが指示されていると判断された場合に、設定されている前記印刷属性部の設定内容を変更してプリフライト用の印刷属性部を作成する変更ステップと、
前記変更ステップにより作成された前記プリフライト用の印刷属性部と前記文書データから選択された印刷装置に出力すべき印刷制御情報を生成する制御ステップと、
を備えたことを特徴とする文書処理方法。
【請求項１０】  前記変更ステップは、前記判断ステップによりプリフライトチェックが指示されていると判断された場合に、少なくとも設定されている前記印刷属性部中の合紙設定を合紙設定無し状態に変更したプリフライト用の印刷属性部を作成することを特徴とする請求項９に記載の文書処理方法。
【請求項１１】  前記変更ステップは、前記判断ステップによりプリフライトチェックが指示されていると判断された場合に、少なくとも設定されている前記印刷属性部中の特定の用紙タイプの設定を汎用の用紙タイプに変更したプリフライト用の印刷属性部を作成することを特徴とする請求項９または１０に記載の文書処理方法。
【請求項１２】  前記変更ステップは、前記設定されている印刷属性部の設定内容を無効化するべく印刷属性部の設定内容を変更することを特徴とする請求項９乃至１１のいずれか１項に記載の文書処理方法。
【請求項１３】  前記変更ステップは、設定されている前記印刷属性部の設定内容をユーザ毎に異なる条件で簡易に変更してプリフライト用の印刷属性部を作成することを特徴とする請求項９乃至１２のいずれか１項に記載の文書処理方法。
【請求項１４】  前記製本アプリケーションによって設定されている前記印刷属性部の設定内容中で変更してもよい項目をユーザ毎に指定可能とすることを特徴とする請求項９乃至１３のいずれか１項に記載の文書処理方法。
【請求項１５】  前記プリフライトチェックとは、最終印刷物を出力する前に印刷内容をチェックする処理であることを特徴とする請求項９乃至１４のいずれか１項に記載の文書処理方法。
【請求項１６】  印刷アプリケーションから出力される出力情報を製本アプリケーションを介してブック，章，ページを含む階層的な印刷属性部と文書データ部とから構成される電子文書を編集処理可能であることを特徴とする請求項９乃至１５のいずれか１項に記載の文書処理方法。
【請求項１７】  請求項９乃至１６のいずれか１項に記載の文書処理方法をコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、電子文書を生成処理する文書処理装置における文書処理に関するものである。
【手続補正４】
【補正対象書類名】明細書
【補正対象項目名】００１０
【補正方法】変更
【補正の内容】
【００１０】
本発明は、上記の課題を解決するためになされたもので、本発明の目的は、必要とされるプリチェック処理コストを低減するとともに、短時間でプリンタチェックを効率よく完了できる仕組みを提供することである。
【手続補正５】
【補正対象書類名】明細書
【補正対象項目名】００１２
【補正方法】変更
【補正の内容】
【００１２】
電子文書に対してプリフライトチェックが指示されているかどうかを判断する判断手段と、前記判断手段によりプリフライトチェックが指示されていると判断された場合に、設定されている前記印刷属性部の設定内容を変更してプリフライト用の印刷属性部を作成する変更手段と、前記変更手段により作成された前記プリフライト用の印刷属性部と前記文書データから選択された印刷装置に出力すべき印刷制御情報を生成する制御手段とを備えたことを特徴とする。
【手続補正６】
【補正対象書類名】明細書
【補正対象項目名】００１３
【補正方法】変更
【補正の内容】
【００１３】
上記目的を達成する文書処理方法は以下に示す構成を備える。
【手続補正７】
【補正対象書類名】明細書
【補正対象項目名】００１４
【補正方法】変更
【補正の内容】
【００１４】
電子文書に対してプリフライトチェックが指示されているかどうかを判断する判断ステップと、前記判断ステップによりプリフライトチェックが指示されていると判断された場合に、設定されている前記印刷属性部の設定内容を変更してプリフライト用の印刷属性部を作成する変更ステップと、前記変更ステップにより作成された前記プリフライト用の印刷属性部と前記文書データから選択された印刷装置に出力すべき印刷制御情報を生成する制御ステップとを備えたことを特徴とする。
【手続補正８】
【補正対象書類名】明細書
【補正対象項目名】０２３０
【補正方法】変更
【補正の内容】
【０２３０】
【発明の効果】
以上説明したように、本発明によれば、必要とされるプリチェック処理コストを低減するとともに、短時間でプリンタチェックを効率よく完了できる。